(57)【要約】【課題】足や腰、関節等に痛みがあるときにソックスを着用する場合、患部に負担をかけずに、無理なく容易に着用できる。【解決手段】足９と略同大に構成した細長い底板２と、前記底板２と同大かこれより若干小さめにし、前記底板２の左右側縁部２３，２４を、底板２上に折り重ねることができるように折曲自在に取り付けた一対の甲被板３，４によって構成する。また、底板２のかかと側にあたる後端部２６と、甲被板３，４の足首側にあたる後端部３２、４２との間にループ状に引き紐５，５を取り付ける。【選択図】            図３
2004337234.tif 000002
【特許請求の範囲】
【請求項１】
足の裏と略同一の大きさの底板を構成し、前記底板の左側縁部と右側縁部の各々に、底板上に折り重ねることができる甲被板を折曲自在に取り付けると共に、前記底板の後端部と甲被板の後端部に引き紐を取り付けたソックス着用具。
【請求項２】
上記底板の表面に滑り材を構成すると共に、前記引き紐をループ状に構成した請求項１記載のソックス着用具。
【発明の詳細な説明】
【０００１】
【発明の属する技術分野】
本発明は、足や腰、関節等に痛みがある等の理由により、身体を自由に屈曲することができない人であっても、ソックスを無理なく楽に着用することができるソックス着用具に関するものである。
【０００２】
【従来の技術】
足や腰、関節等に痛みがあると身体を自由に屈曲することができない。そして、特にソックスを着用するときには、手を足先まで伸ばし腰を深く曲げて前かがみとなり足を曲げた姿勢になるため、足や腰、関節等の痛みが激しくなり着用に相当な苦痛を伴なっていた。
【０００３】
また、ヘルニアで腰が自由に曲がらない等、身体に何らかの障害を有する人や身体の柔軟性が失われた高齢者等においては、ソックスを着用するために身体を前に曲げることが容易に行えないことが多い。
【０００４】
このようなことから、従来より足や腰、関節等に痛みがある人や前かがみになることが困難な人々にとってソックスを楽に着用することができる補助具の出現が望まれていた。
【０００５】
【発明が解決しようとする課題】
本発明は上記の点に鑑みなされたものであって、足や腰、関節等に痛みがある等の理由で身体を自由に曲げられない人達にとって、自分の力でソックスを無理なく楽に着用することができるようにした着用補助具としてのソックス着用具を提供するものである。
【０００６】
【課題を解決するための手段】
本発明の要旨とするところは、足の裏と略同一の大きさの細長い底板を構成し、前記底板の左側縁部と右側縁部の各々に甲被板を折曲自在に取り付け、この一対の甲被板を内側に折り畳んで底板上に折り重ねることができるようにすると共に、前記底板のかかと側にあたる後端部と甲被板の足首側にあたる後端部に引き紐を取り付けてなるソックス着用具である。
【０００７】
これにより、足や腰、関節等に痛みがある等の理由で身体を自由に曲げられない場合に、楽な姿勢と簡単な操作によって自分の力でソックスを着用することができる。そのため無理に身体を曲げる必要もないし、患部に負担をかけて激しい痛みを生じるおそれもない。
【０００８】
また、本発明の要旨とするところは、上記底板の表面に滑り材を構成すると共に、前記引き紐をループ状に構成したソックス着用具である。
この滑り材によって、足が底板上を滑りソックス着用具内に滑らかに入るのである。また、ループ状の引き紐によって手の動きの不完全な人でも容易にソックス着用具を使用することができる。
【０００９】
【発明の実施の形態】
以下、本発明の実施の形態について図面を参照しつつ説明する。
図１は引き紐を一部省略した全体斜視図、図２は引き紐を一部省略し滑り材を一部切欠いた展開平面図、図３は滑り材を一部切欠いた作用説明図及び図４は作用説明図である。
【００１０】
図中、符号１はソックス着用具である。このソックス着用具１は、足の裏と略同一の大きさと形状に構成した細長い底板２を中央に構成している。この底板２の左側縁部２３と右側縁部２４の各々に、底板２と略同一の大きさかあるいは若干小さめに構成した一対の甲被板３，４を取り付けてある。この甲被板３，４は前記底板２上に折り重ねることができるように折曲自在に取り付けられている。
【００１１】
また、本実施形態では底板２及び一対の甲被板３，４は、足のつま先側にあたる前端部２５，３５，４５を丸く構成している。また、底板２の長さは、中型が２３ｍ〜２５ｃｍ、大型が２６ｃｍ〜２８ｃｍに構成するが、この大きさは任意に決定できる。
【００１２】
底板２の上面には滑り材２１を形成している。これは、足の裏を滑り材２１の上で滑らせて、足がスムーズにソックス着用具１の中に入っていくようにするためのものである。
【００１３】
そして、底板２の後端縁２７の中央に固定した２本の引き紐５の他端を、それぞれ甲被板３，４の後端部３２，４２の外側に設けた穴３１，４１に固定して２本の引き紐５をループ状に取り付けている。この引き紐５は、後述のようにソックス着用具１を引き上げるものであるから、着用者が使用できる長さであれば、特にループ状にする必要はない。
【００１４】
しかし、本実施形態のようにループ状にした場合には、握力の小さい人や、手に障害があり引き紐５を指で掴むことができない人等の場合に、引き紐５を手首に引っ掛けて引っ張ることができるという効果がある。また本実施形態では、引き紐５の長さを約１ｍとしたが、着用者の好みの長さを採用できる。
【００１５】
上記引き紐５は、底板２の後端部２６と甲被板３，４の後端部３２，４２を連結するものであるから、上記以外の固定方法も採用できる。例えば、引き紐５の一端を底板２の後端部２６の任意の位置に固定したり、あるいは穴を設けて固定することもできる。そして、甲被板３，４の後端部３２，４２には、穴を設けずに引き紐５の他端を固定することもできる。
【００１６】
次に、上記実施形態の作用について説明する。
まず、図２に示すように一対の甲被板３，４を左側縁部２３と右側縁部２４から内側に折曲して底板２の上に折り重ねて図１の状態にする。次いで図３に示すように、甲被板３，４を折り重ねた状態で底板２の前端部２５をソックス６の上端の開口部６１からソックス６内に入れていく。
そして、底板２の前端部２５がソックス６の内側前端位置まで入ってから、ソックス６を矢印Ｂ方向に沿って引き上げて、開口部６１を甲被板３，４の後端部３２、４２近傍位置に配置する。ここまでは着用者が自分の手元で行うことができる。
【００１７】
この後、両手で引き紐５，５をつかみソックス着用具１を床に置く。ソックス着用具１の底板２と一対の甲被板３，４とによって形成される開口に足９の先を入れて、左右の引き紐５，５を矢印Ｃ方向、つまり着用者にとって手前方向に同時に引きながら、矢印Ａの方向に足９を軽く滑らすように入れていく。
【００１８】
足９がソックス着用具１の前端まで入り、その内部に収容された状態になった後、引き紐５をさらに引っ張ると、ソックス着用具１が移動して足９から外れていき、足９の前端がソックス６の前端に当たる（図４参照）。なおも引き紐５を引っ張るとソックス着用具１はソックス６を残したまま引き抜かれるのである。
【００１９】
このときソックス６は、底板２と甲被板３，４の外周面との摩擦抵抗によって底板２と甲被板３，４に引っ張られ足９に沿って引き上げられるため、最終的にソックス６は足９に着用されるのである。
【００２０】
本実施形態では、底板２の上面に滑り材２１を構成しているから、底板２と足９の裏との摩擦抵抗が軽減され、足９がスムーズに入っていき、ソックス着用具１をソックス６から引き抜くときには軽くスムーズに引き抜くことができるのである。この滑り材２１は必要に応じて省略することもできる。
【００２１】
また、手が不自由で引き紐５、５つかむことができない場合や力が弱い場合には、本実施形態のようにループ状に構成した引き紐５，５を手首に引っ掛けて身体を後方にのけぞるようにして引っ張ると効果的である。なお、以上の着用操作を行うときには、椅子に腰掛けて行う方が安全である。
【００２２】
また、上記構成において、底板２の後端部２６の幅を他の部分より広くすることにより、底板２と一対の甲被板３，４とによって形成される開口が大きくなり、足９を入れる際に足先が入り易くなる。
【００２３】
【発明の効果】
本発明は上記の如き構成、作用であるから、足や腰、関節等に痛みがある人、身体の自由が利かない人等がソックスを着用する場合、楽な姿勢と簡単な動作で無理なく行うことができる。
また人手を借りることなく自力でソックスを着用することが可能となり、着用者にとって自信が生じる。さらには周囲の介護者等にとっても、ソックスを着用させることが容易に行えるのである。
【００２４】
引き紐をループ状に構成した場合には、手が不自由で引き紐を指でつかむことができない人や力の弱い人でも、容易に操作が行える。
【００２５】
底板の上面に滑り材を構成した場合には、底板と足の裏との摩擦抵抗が軽減され、ソックス着用具に足をスムーズに入れることができ、また引き抜くときには軽くスムーズに引き抜くことができるのである。
【図面の簡単な説明】
【図１】本発明の引き紐を一部省略した全体斜視図である。
【図２】本発明の引き紐を一部省略し滑り材を一部切欠いた展開平面図である。
【図３】本発明の滑り材を一部切欠いた作用説明図である。
【図４】本発明の作用説明図である。
【符号の説明】
１    ソックス着用具
２    底板
２１  滑り材
２３  左側縁部
２４  右側縁部
２５  前端部
２６  後端部
２７  後端縁
３  甲被板
３１  穴
３２  後端部
４    甲被板
４１  穴
４２  後端部
５    引き紐
６  ソックス
９  足
【図１】
2004337234.tif 000003
【図２】
2004337234.tif 000004
【図３】
2004337234.tif 000005
【図４】
2004337234.tif 000006